(57)【要約】【課題】装置へ電源が投入されてから電源電圧が安定化するまでの時間を、短縮すること【解決手段】電源装置の立ち上げ時に、制御装置は、電源装置の電源電圧をチェックしつつ、電源電圧を所定の目標電圧Ｖ１まで昇圧させる。さらに、制御装置は、電源電圧の目標電圧Ｖ１への昇圧中に、電源装置に、ドライバＩＣへの電圧供給を開始させる。ドライバＩＣは、電源電圧の昇圧中に、電源装置からドライバＩＣへの電圧供給が開始されたときに、活性部に対して電源装置から供給された電圧を連続的に印加し続ける。【選択図】図６
2018165059.tif 000002
【特許請求の範囲】
【請求項１】
複数のノズルと、前記複数のノズルからそれぞれ液体を吐出させる複数の駆動素子を有する液体吐出ヘッドと、
前記複数の駆動素子に電圧を印加することにより、前記複数の駆動素子を駆動する駆動装置と、
前記駆動装置を制御する駆動制御部と、
前記駆動装置に、前記複数の駆動素子を駆動するための電圧を生成する電源装置と、
前記電源装置から前記駆動装置への電圧供給を行うためのスイッチ部と、
前記電源装置と前記スイッチ部を制御する電源制御部と、を備え、
前記電源制御部は、
前記電源装置の立ち上げ時に、
前記電源装置の電源電圧をチェックしつつ、前記電源電圧を所定の第１電圧まで昇圧させ、
さらに、前記電源電圧の前記第１電圧への昇圧中に、前記スイッチ部に、前記電源装置から前記駆動装置への電圧供給を開始させ、
前記駆動制御部は、
前記電源電圧の前記第１電圧への昇圧中に、前記電源装置から前記駆動装置への電圧供給が開始されたときに、前記駆動素子に対して前記電源装置から供給された電圧を連続的に印加し続けるように、前記駆動装置を制御することを特徴とする、液体吐出装置。
【請求項２】
前記電源制御部は、
前記電源電圧を、個々に制御目標値が設定された複数の昇圧ステップを経て、前記第１電圧まで段階的に昇圧させ、
さらに、前記各昇圧ステップにおいて、前記電源電圧をその昇圧ステップにおける前記制御目標値に到達させるための電源電圧チェックを、予め定められた回数行うように構成され、
前記電源電圧チェックは、
前記制御目標値が前記第１電圧よりも低い、途中の昇圧ステップにおいて行われる回数が、前記制御目標値が前記第１電圧である、最終の昇圧ステップにおいて行われる回数よりも少ないことを特徴とする請求項１に記載の液体吐出装置。
【請求項３】
前記電源制御部は、前記電源電圧の昇圧中に、前記電源電圧が、前記第１電圧よりも低い所定の第２電圧以上になったときに、前記スイッチ部に、前記電源装置から前記駆動装置への電圧供給を開始させることを特徴とする請求項１又は２に記載の液体吐出装置。
【請求項４】
前記駆動素子が、圧電素子であることを特徴とする請求項１〜３の何れかに記載の液体吐出装置。
【請求項５】
前記駆動制御部は、前記電源装置から前記駆動装置への電圧供給が開始されたときに、前記複数の駆動素子のうちの、何れか１つの駆動素子にのみ電圧を印加することを特徴とする請求項１〜４の何れかに記載の液体吐出装置。
【請求項６】
前記駆動装置と前記複数の駆動素子は、複数の配線によってそれぞれ接続され、
前記駆動制御部は、前記複数の駆動素子のうち、前記配線の抵抗が最も大きくなる前記駆動素子に電圧を印加することを特徴とする請求項５に記載の液体吐出装置。
【発明の詳細な説明】
【技術分野】
【０００１】
本発明は、液体を吐出する液体吐出装置に関する。
【背景技術】
【０００２】
従来、インクジェットプリンタなどの液体吐出装置において、装置への電源投入時には、電源装置で生成される電源電圧を、装置を使用するために必要な目標電圧まで昇圧する処理が行われる。その際に、その昇圧の途中で電源電圧が不安定にならないように、電圧変動のチェック、及び、フィードバック制御を繰り返し行いながら、徐々に電源電圧を昇圧させるのが一般的である。また、電源電圧が目標電圧で安定した後には、液体を吐出させるための駆動素子に電圧を印加して、ノズルのフラッシング等の準備動作を行う。これらの準備動作が完了して初めて、装置が使用可能な状態となる。
【０００３】
これに関して、特許文献１には、電源電圧が基準電圧で安定した状態になってから、インクジェットヘッドの圧電素子へパルス信号を印加することが開示されている。尚、特許文献１におけるパルス信号の印加は、プリンタの電源立ち上げ時に、圧電素子が急激に充電されてしまうことを防止するためであり、上述した電源安定後のフラッシング等の準備動作とは、少し目的が異なる。
【先行技術文献】
【特許文献】
【０００４】
【特許文献１】特開２０１３−６３６３号公報
【発明の概要】
【発明が解決しようとする課題】
【０００５】
ところで、近年、特に、インクジェットプリンタの分野においては、電源投入後、装置が使用可能な状態になるまでの時間を短縮することが求められている。しかし、現状では、電源電圧の昇圧時の、電圧安定化のための電源電圧チェック等に一定の時間が必要となっており、電源投入後、装置が使用可能となるまでの時間を短縮するにも、限度があった。
【０００６】
本発明の目的は、装置へ電源が投入されてから電源電圧が安定化するまでの時間を、短縮することである。
【課題を解決するための手段及び発明の効果】
【０００７】
第１の発明の液体吐出装置は、複数のノズルと、前記複数のノズルからそれぞれ液体を吐出させる複数の駆動素子を有する液体吐出ヘッドと、前記複数の駆動素子に電圧を印加することにより、前記複数の駆動素子を駆動する駆動装置と、前記駆動装置を制御する駆動制御部と、前記駆動装置に、前記複数の駆動素子を駆動するための電圧を生成する電源装置と、前記電源装置から前記駆動装置への電圧供給を行うためのスイッチ部と、前記電源装置と前記スイッチ部を制御する電源制御部と、を備え、
前記電源制御部は、前記電源装置の立ち上げ時に、前記電源装置の電源電圧をチェックしつつ、前記電源電圧を所定の第１電圧まで昇圧させ、さらに、前記電源電圧の前記第１電圧への昇圧中に、前記スイッチ部に、前記電源装置から前記駆動装置への電圧供給を開始させ、
前記駆動制御部は、前記電源電圧の前記第１電圧への昇圧中に、前記電源装置から前記駆動装置への電圧供給が開始されたときに、前記駆動素子に対して前記電源装置から供給された電圧を連続的に印加し続けるように、前記駆動装置を制御することを特徴とするものである。
【０００８】
本発明では、電源装置の電源電圧を目標の第１電圧まで昇圧させる途中で、駆動装置への電圧の供給を開始する。さらに、駆動装置への電圧供給が開始されたときに、駆動装置へ供給される電圧を駆動装置から駆動素子へ印加させ、その電圧印加状態を継続させる。電源電圧の昇圧中には、電源電圧には電圧変動が生じる。しかし、その変動が生じている電圧が駆動素子へ印加されると、駆動装置から駆動素子までに存在する抵抗成分の作用によって、電圧変動が減衰される。つまり、電源電圧の昇圧中に、駆動素子への電圧印加を行うことで、電源電圧の変動を抑制することができる。そのため、電源電圧の昇圧における電圧チェック回数を減らすことができるなど、電源を投入してから電源電圧が目標の第１電圧で安定するまでの時間を短縮することができる。
【０００９】
第２の発明の液体吐出装置は、前記第１の発明において、前記電源制御部は、前記電源電圧を、個々に制御目標値が設定された複数の昇圧ステップを経て、前記第１電圧まで段階的に昇圧させ、さらに、前記各昇圧ステップにおいて、前記電源電圧がその昇圧ステップにおける前記制御目標値に到達したかどうかの電源電圧チェックを、予め定められた回数行うように構成され、
前記電源電圧チェックは、前記制御目標値が前記第１電圧よりも低い、途中の昇圧ステップにおいて行われる回数が、前記制御目標値が前記第１電圧である、最終の昇圧ステップにおいて行われる回数よりも少ないことを特徴とするものである。
【００１０】
電源電圧の昇圧中に、駆動素子への電圧印加を行うことで、電源電圧の変動が抑えられるため、途中の昇圧ステップの電圧チェック回数は少なくてよい。但し、電源電圧を第１電圧に昇圧するときの、最終の昇圧ステップでは、電源電圧が目標の第１電圧で安定していることが重要であるため、この最終の昇圧ステップでの電圧チェック回数は、途中の昇圧ステップよりも多くする。
【００１１】
第３の発明の液体吐出装置は、前記第１又は第２の発明において、前記電源制御部は、前記電源電圧の昇圧中に、前記電源電圧が、前記第１電圧よりも低い所定の第２電圧以上になったときに、前記スイッチ部に、前記電源装置から前記駆動装置への電圧供給を開始させることを特徴とするものである。
【００１２】
電源電圧がかなり低い状態だと、駆動装置へ供給しても駆動装置が正常に作動しない虞がある。そこで、本発明では、電源電圧の昇圧中に、電源電圧が、目標の第１電圧よりも低い所定の第２電圧以上になったときに、スイッチ部に、電源装置から駆動装置への電圧供給を開始させる。
【００１３】
第４の発明の液体吐出装置は、前記第１〜第３の何れかの発明において、前記駆動素子が、圧電素子であることを特徴とするものである。
【００１４】
圧電素子は、印加される電圧の変動に伴って充電、放電を繰り返すことから、一種の容量成分を有するものであると言える。そのため、駆動装置から圧電素子に電圧が印加されたときに、圧電素子が有する容量成分により、電圧変動のうちの高い周波数成分を除去することができる。
【００１５】
第５の発明の液体吐出装置は、前記第１〜第４の何れかの発明において、前記駆動制御部は、前記電源装置から前記駆動装置への電圧供給が開始されたときに、前記複数の駆動素子のうちの、何れか１つの駆動素子にのみ電圧を印加することを特徴とするものである。
【００１６】
駆動装置から複数の駆動素子に同時に電圧を印加した場合、電源電圧の電圧変動の減衰に寄与する抵抗は、駆動装置から、この駆動装置と並列に接続されている複数の駆動素子までの抵抗成分の合成値となる。駆動装置に対して複数の駆動素子は並列に接続されていることから、同時に電圧を印加する駆動素子の数が多いほど抵抗の合成値は小さくなり、電圧減衰効果が低くなってしまう。そこで、本発明では、１つの駆動素子にのみ電圧を印加する。
【００１７】
第６の発明の液体吐出装置は、前記第５の発明において、前記駆動装置と前記複数の駆動素子は、複数の配線によってそれぞれ接続され、前記駆動制御部は、前記複数の駆動素子のうち、前記配線の抵抗が最も大きくなる前記駆動素子に電圧を印加することを特徴とするものである。
【００１８】
駆動装置から駆動素子へ電圧を印加したときに、駆動装置から駆動素子までの配線抵抗が大きいほど、電圧変動の減衰効果は大きい。そこで、本発明では、駆動装置からの配線抵抗が最も大きい駆動素子に電圧を印加する。
【図面の簡単な説明】
【００１９】
【図１】本実施形態に係るプリンタの概略的な平面図である。
【図２】プリンタの電気的構成を概略的に示すブロック図である。
【図３】インクジェットヘッドの上面図である。
【図４】図３のＡ部拡大図である。
【図５】図４のV-V線断面図である。
【図６】電源電圧昇圧時のタイミングチャートであり、（ａ）は電源電圧昇圧タイミング、（ｂ）はドライバＩＣへの電圧供給開始タイミング、（ｃ）は、活性部への印加電圧の変化をそれぞれ示す。
【図７】圧電アクチュエータの１つの活性部と、この活性部を駆動するドライバＩＣの等価回路を示す図である。
【発明を実施するための形態】
【００２０】
次に、本発明の実施の形態について説明する。図１は、本実施形態に係るプリンタの概略的な平面図である。図２は、プリンタの電気的構成を概略的に示すブロック図である。尚、図１に示す紙面手前側を上側、紙面向こう側を下側と定義して、以下説明する。
【００２１】
（プリンタの構成）
図１に示すように、インクジェットプリンタ１は、プラテン２と、キャリッジ３と、インクジェットヘッド４と、搬送機構５と、電源装置６、制御装置７等を備えている。
【００２２】
プラテン２の上面には、被記録媒体である記録用紙１００が載置される。キャリッジ３は、プラテン２と対向する領域において２本のガイドレール１０，１１に沿って図１の左右方向（以下、走査方向ともいう）に往復移動可能に構成されている。キャリッジ３には無端ベルト１４が連結され、キャリッジ駆動モータ１５によって無端ベルト１４が駆動されることで、キャリッジ３は走査方向に移動する。
【００２３】
インクジェットヘッド４（本発明の液体吐出ヘッド）は、キャリッジ３に取り付けられており、キャリッジ３とともに走査方向に移動する。インクジェットヘッド４は、４色（ブラック、イエロー、シアン、マゼンタ）のインクカートリッジ１７が装着されるカートリッジホルダ８と、チューブ１６によってそれぞれ接続されている。インクジェットヘッド４は、その下面（図１の紙面向こう側の面）に形成された複数のノズル４０を有する。各ノズル４０は、インクカートリッジ１７から供給されたインクを、プラテン２の上に載置された記録用紙１００に向けて吐出する。インクジェットヘッド４の詳細構成については、後で説明する。
【００２４】
図１に示すように、搬送機構５は、前後方向にプラテン２を挟むように配置された２つの搬送ローラ１８，１９を有する。２つの搬送ローラ１８，１９は、図示しない搬送モータによって同期して駆動される。この搬送機構５は、搬送モータにより２つの搬送ローラ１８，１９を駆動することにより、プラテン２に載置された記録用紙１００を、走査方向と直交する搬送方向に搬送する。
【００２５】
図２に示すように、電源装置６は、電源スイッチ２０、整流器２１、電圧生成回路２２、設定回路２３等を有する。電源スイッチ２０は、１００Ｖの交流電源との接続／遮断を行う。整流器２１は、交流電源から供給された交流を直流に変換する。また、その際に、電圧を１００Ｖから、それよりも低い電圧（例えば、３０Ｖ程度）まで降圧させる。整流器２１からの直流電圧は電圧生成回路２２に供給される。電圧生成回路２２では、所定電圧Ｖ１（本発明の第１電圧）の電源電圧（ＶＤＤ）を生成する。また、電圧生成回路２２は、生成した電源電圧を、プリンタ１を構成する様々な装置への電源電圧の供給／非供給を切り換える機能を兼ね備えている。即ち、本実施形態では、電圧生成回路２２が、本発明のスイッチ部の機能を備えている。設定回路２３は、電源電圧を所定電圧に維持するためのフィードバック制御の制御目標値を、電圧生成回路２２に対して設定するためのＰＭＷ回路である。
【００２６】
図２に示すように、制御装置７は、図２に示されるように、ＣＰＵ（Central Processing Unit）３０、ＲＯＭ（Read Only Memory）３１、ＲＡＭ（Random Access Memory）３
２、及び、各種制御回路を含むＡＳＩＣ（Application Specific Integrated Circuit）
３３等を備える。また、制御装置７は、図示しないＰＣ等の外部装置とデータ通信可能に接続されている。
【００２７】
ＲＯＭ３１に格納されたプログラムに従い、ＣＰＵ３０及びＡＳＩＣ３３により、記録用紙１００への印刷等の各種処理を実行する。例えば、印刷処理においては、制御装置７は、ＰＣ等の外部装置から入力された印刷指令に基づいて、インクジェットヘッド４やキャリッジ駆動モータ１５等を制御して、記録用紙１００に画像等を印刷させる。具体的には、キャリッジ３とともにインクジェットヘッド４を走査方向に移動させながらインクを吐出させるインク吐出動作と、搬送ローラ１８，１９によって記録用紙１００を搬送方向に所定量搬送する搬送動作とを、交互に行わせる。また、後で詳述するが、制御装置７は、プリンタ１への電源投入時に、電源装置６の電源電圧の立ち上げに関する制御も行う。
【００２８】
尚、上の説明では、制御装置７が、ＣＰＵ３０及びＡＳＩＣ３３によって各種の処理を行う例を挙げたが、本発明はこれに限るものではなく、制御装置７を他の構成で実現してもよい。例えば、ＣＰＵのみ又はＡＳＩＣのみで処理を行ってもよい。また、２以上のＣＰＵや、２以上のＡＳＩＣに機能を分担して実現してもよい。
【００２９】
（インクジェットヘッドの詳細構成）
次に、インクジェットヘッド４について詳細に説明する。図３は、インクジェットヘッド４の上面図である。図４は、図３のＡ部拡大図である。図５は、図４のV-V線断面図で
ある。尚、図３では、図面をわかりやすくするために、圧電アクチュエータ４２を覆うように配置されているＣＯＦ７０を二点鎖線で示している。また、図４では、ＣＯＦ７０の図示を省略している。
【００３０】
図３〜図５に示すように、インクジェットヘッド４は、流路ユニット４１と、圧電アクチュエータ４２とを備えている。尚、図５では、流路ユニット４１に形成されたインク流路内に、インク（符号Ｉで示す）が充填されている状態が示されている。
【００３１】
（流路ユニット）
図５に示すように、流路ユニット４１は、複数枚のプレート５１〜５９が積層された構造を有する。複数枚のプレート５１〜５９は、互いに積層された状態でそれぞれ接着剤によって接合されている。複数枚のプレート５１〜５９のうちの、最下層のプレート５９は、ポリイミド等の合成樹脂からなるノズルプレートである。このノズルプレート５９には、複数のノズル４０が形成されている。複数のノズル４０は、搬送方向に配列されており、また、走査方向に並ぶ４列のノズル列を構成している。４列のノズル列は、４色（ブラック、イエロー、シアン、マゼンタ）のインクをそれぞれ吐出するものである。
【００３２】
流路ユニット４１を構成する、ノズルプレート５９以外の他のプレート５１〜５８は、ステンレス鋼などの金属材料からなるプレートである。これらのプレート５１〜５８には、複数のノズル４０に連通する、次述のマニホールド４６や圧力室４７等を含む、インク流路が形成されている。
【００３３】
図３に示すように、流路ユニット４１の上面を構成する最上層のプレート５１には、４つのインク供給孔４５が走査方向に並んで形成されている。４つのインク供給孔４５には、ホルダ８の４つのインクカートリッジ１７（図１参照）から４色（ブラック、イエロー、シアン、マゼンタ）のインクがそれぞれ供給される。また、図５において、上から４番目から７番目のプレート５４〜５７には、搬送方向に延在する４本のマニホールド４６が形成されている。４つのインク供給孔４５と４本のマニホールド４６は、プレート５２，５３に形成された連通孔（図示省略）によって、それぞれ接続されている。
【００３４】
流路ユニット４１の最上層のプレート５１には、複数のノズル４０にそれぞれ対応する複数の圧力室４７が形成されている。各圧力室４７は、走査方向に長い、略楕円の平面形状を有する。複数の圧力室４７は、４本のマニホールド４６に対応して４列に配列されている。複数の圧力室４７は、圧電アクチュエータ４２の振動板６０によって覆われている。図３、図４に示すように、上から２番目に位置するプレート５２には、マニホールド４６と複数の圧力室４７を接続する、複数の絞り流路４９が形成されている。また、最上層のプレート５１とノズルプレート５９との間に位置する合計７枚のプレート５２〜５８には、圧力室４７とノズル４０とを接続する連通流路４３が形成されている。
【００３５】
以上説明したプレート５１〜５９が積層された状態で接合されることで、流路ユニット４１が構成されている。そして、流路ユニット４１内には、１つのマニホールド４６から分岐して、絞り流路４９、圧力室４７、及び、連通流路４３を経てノズル４０に至る個別流路４４が、複数形成されている。
【００３６】
（圧電アクチュエータ）
圧電アクチュエータ４２は、上述した流路ユニット４１の上面に配置されている。図３〜図５に示すように、圧電アクチュエータ４２は、振動板６０と、圧電層６４，６５と、複数の個別電極６２と、共通電極６６を備えている。
【００３７】
振動板６０は、複数の圧力室４７を覆うように、流路ユニット４１の上面に接合されている。振動板６０は、例えば、ステンレス鋼等の金属材料で形成されている。
【００３８】
２枚の圧電層６４，６５は、それぞれ圧電材料からなる。圧電層６４，６５を構成する圧電材料としては、チタン酸鉛とジルコン酸鉛との混晶であるチタン酸ジルコン酸鉛を採用することができる。その他、非鉛の圧電材料である、チタン酸バリウムや、ニオブ系の圧電材料を採用することもできる。圧電層６４，６５は互いに積層された状態で、振動板６０の上面に接合されている。
【００３９】
複数の個別電極６２は、圧電層６４の、圧電層６５と反対側の面である上面において、複数の圧力室４７にそれぞれ対応して搬送方向（ノズル配列方向）に配列されている。個別電極６２は、圧力室４７よりも一回り小さい、走査方向に長い略楕円の平面形状を有し、対応する圧力室４７の中央部と対向して配置されている。個別電極６２の長手方向一端部には、接続端子６２ａが設けられている。接続端子６２ａは、圧電層６４の上面において、個別電極６２から、圧力室４７と対向しない領域まで走査方向に延びている。
【００４０】
共通電極６６は、２枚の圧電層６４，６５の間において、ほぼ全面的に配置されている。共通電極６６は、上側の圧電層６４を挟んで複数の個別電極６２のそれぞれと対向している。この共通電極６６は、圧電層６４の上面に配置された、図示しない接続端子と導通している。
【００４１】
また、図５に示される、圧電層６４の、個別電極６２と共通電極６６に挟まれた部分を、特に、活性部６１と呼ぶ。活性部６１は、厚み方向において下向き、即ち、個別電極６２から共通電極６６に向かう方向に分極されている。尚、上記の、１つの個別電極６２と共通電極６６とに挟まれた活性部６１が、本発明における「駆動素子」及び「圧電素子」に相当する。
【００４２】
図３、図５に示すように、圧電アクチュエータ４２の上面には、配線部材であるＣＯＦ（Chip On Film）７０が配置されている。このＣＯＦ７０は、制御装置７及び電源装置６と、インクジェットヘッド４の圧電アクチュエータ４２とを電気的に接続するものである。また、ＣＯＦ７０には、圧電アクチュエータ４２を駆動するドライバＩＣ７１（本発明の駆動装置）が実装され、また、ＣＯＦ７０には複数の配線７２が形成されている。図２、図３に示すように、ＣＯＦ７０の複数の配線７２には、電源装置６で生成された電源電圧をドライバＩＣ７１へ供給する電源線７２ａ、ドライバＩＣ７１をグランドと接続するためのグランド線７２ｂ、制御装置７のＡＳＩＣ３３からドライバＩＣ７１へ制御信号を入力する入力配線７２ｃ、ドライバＩＣ７１から圧電アクチュエータ４２へパルス状の駆動信号を出力する出力配線７２ｄ等が含まれる。
【００４３】
図５に示すように、ＣＯＦ７０の複数の出力配線７２ｄの端部は、複数の個別電極６２の接続端子６２ａと、それぞれバンプ７３によって接合されている。これにより、ＣＯＦ７０のドライバＩＣ７１と、圧電アクチュエータ４２の複数の個別電極６２とが電気的に接続される。ドライバＩＣ７１は、制御装置７のＡＳＩＣ３３からの制御信号に基づいて個別電極６２に対してパルス状の駆動信号を出力し、各個別電極６２に印加させる電圧を、Ｈｉｇｈレベル（電源線７２ａを通じて供給される電源電圧レベル）とＬｏｗレベル（グランドレベル）との間で切り換える。尚、本実施形態では、制御装置７のＡＳＩＣ３３が、ドライバＩＣ７１を制御する、本発明の「駆動制御部」に相当する。また、ＣＯＦ７０のグランド線７２ｂは、共通電極６６から圧電層６４の上面に引き出された、図示しない接続端子と接続されている。つまり、共通電極６６は、接続端子を介してグランド線７２ｂと接続されており、共通電極６６は、常にグランド電位に維持されている。
【００４４】
上記の圧電アクチュエータ４２の、ノズル４０からインクを吐出させる際の動作は、以下の通りである。ドライバＩＣ７１により、ある個別電極６２の電圧がＬｏｗ（グランドレベル）からＨｉｇｈ（電源電圧レベル）に切り換えられたとする。このとき、個別電極６２と共通電極６６の間に電位差が生じ、圧電層６４の活性部６１に厚み方向の電界が生じる。また、活性部６１の分極方向と電界の方向とが一致するために、活性部６１はその分極方向である厚み方向に伸びて面方向に収縮する。この活性部６１の収縮変形に伴って、２つの圧電層６４，６５が圧力室４７側に凸となるように撓む。これにより、圧力室４７の容積が減少してその内部のインクに圧力が付与され、圧力室４７に連通するノズル４０からインクの液滴が吐出される。
【００４５】
（電源投入後の電源電圧の昇圧制御）
ところで、上記のプリンタ１において、ユーザによって電源スイッチ２０（図２参照）がＯＮにされたときには、制御装置７は、電源装置６で生成される電源電圧を、所定の目標電圧Ｖ１まで昇圧する処理を行う。ここで、電源電圧を急激に昇圧すると、昇圧途中に電源電圧が不安定になる虞があるため、電源電圧を段階的に昇圧して徐々に電圧を上げていく。しかし、電源を投入してからプリンタ１が印刷可能な状態となるまでには、電源電圧が目標電圧Ｖ１で安定した後に、さらに、インクジェットヘッド４において複数のノズル４０のフラッシングを行わせるなど、様々な準備動作が必要となる。そのため、プリンタ１への電源投入後、印刷開始状態となるまでの時間を短縮するためには、電源電圧の昇圧に要する時間を短くすることが重要となる。
【００４６】
図６は、電源電圧昇圧時のタイミングチャートであり、（ａ）は電源電圧昇圧タイミング、（ｂ）はドライバＩＣ７１への電圧供給開始タイミング、（ｃ）は、活性部６１への印加電圧の変化をそれぞれ示す。
【００４７】
電源スイッチ２０がＯＮにされると、制御装置７は、電源装置６に対して電源電圧の昇圧に関する制御指令を送り、電源装置６の電圧生成回路２２を制御して、電源電圧を徐々に昇圧させる。尚、制御装置７が、本発明の電源制御部に相当する。制御装置７による電源電圧の昇圧制御は、ソフトウェアでもハードウェアでも実現可能である。即ち、ＲＯＭ３１に格納された昇圧制御用のプログラムをＣＰＵ３０が実行して演算することによって制御を行ってもよいし、あるいは、制御装置７内に設けられた電源制御用の回路によって制御を実現してもよい。また、ドライバＩＣ７１等の制御を行うＡＳＩＣ３３が、電源装置６の制御も併せて行う構成であってもよい。
【００４８】
（１）電源電圧昇圧の詳細
本実施形態では、図６（ａ）に示すように、制御装置７は、電源電圧を、個々に制御目標値Ｖｔ（Ｖｔ１，Ｖｔ２，Ｖｔ３，Ｖｔ４（＝Ｖ１））が設定された４段階の昇圧ステップを経て、電源電圧を目標電圧Ｖ１まで段階的に昇圧させる。
【００４９】
各昇圧ステップでは、制御装置７は、設定回路２３に対して、その昇圧ステップに対して設定された制御目標値Ｖｔを、電圧生成回路２２に設定させる。すると、電圧生成回路２２は、電源電圧を制御目標値Ｖｔまで上昇させるが、そのときの上昇の反動で、電圧生成回路２２から出力される電源電圧に電圧変動が生じる。そこで、制御装置７は、電圧生成回路２２から出力される電源電圧のチェックを行い、そのチェック結果に応じて電圧生成回路２２にフィードバック制御を行わせる。また、この電源電圧チェックは、各昇圧ステップにおいて、その昇圧ステップに対して、予め個別に設定された所定の回数ｎ（ｎ１，ｎ２，ｎ３，ｎ４）だけ繰り返す。尚、昇圧ステップでの制御目標値Ｖｔ（Ｖｔ１，Ｖｔ２，Ｖｔ３，Ｖｔ４）や、電圧チェックの回数ｎ（ｎ１，ｎ２，ｎ３，ｎ４）は、制御装置７のＲＯＭ３１に予め記憶されている。
【００５０】
制御装置７は、各昇圧ステップで、所定回数ｎの電源電圧チェックを行ったら、設定回路２３に対して、昇圧ステップの制御目標値を変更させて、次の昇圧ステップへ移行させる。即ち、図６（ａ）に示すように、以下のような順で４段の昇圧ステップを移行して電源電圧を昇圧する。
（１段目）Ｖｔ１へ昇圧、ｎ１回の電圧チェック
→（２段目）Ｖｔ２へ昇圧→ｎ２回の電圧チェック
→（３段目）Ｖｔ３へ昇圧→ｎ３回の電圧チェック
→（４段目）Ｖｔ４へ昇圧→ｎ４回の電圧チェック
４段目の制御目標値のＶｔ４は、電源電圧の最終的な目標電圧であるＶ１である。４段目の昇圧ステップにおいて、ｎ４回の電圧チェックが完了したときに（時間Ｔ４）、制御装置７は、電源電圧が目標電圧Ｖ１で安定したと判断する。尚、本実施形態において、「電源電圧の昇圧中」とは、電源電圧が目標電圧Ｖ１で安定したと判断する前の状態のことを言う。
【００５１】
電源電圧の昇圧が完了したら、制御装置７は、プリンタ１の各部に対して、様々な準備動作を行わせる。例えば、制御装置７は、プリンタ１の停止中にノズル４０内で乾燥（増粘）したインクを排出するため、インクジェットヘッド４に対して複数のノズル４０からインクの液滴を吐出させる、いわゆる、フラッシングを行わせる。より詳細には、制御装置７のＡＳＩＣ３３は、ドライバＩＣ７１に対して、フラッシングを行わせるための制御信号を送信する。すると、図６（ｃ）に示すように、ドライバＩＣ７１は、圧電アクチュエータ４２の複数の個別電極６２に対して、それぞれパルス状の駆動信号を出力し、複数の活性部６１をそれぞれ駆動させることにより、複数のノズル４０からインクを吐出させる。
【００５２】
（２）昇圧途中での、圧電アクチュエータ４２への電圧印加
ところで、前記の昇圧ステップでは、電源電圧を昇圧したときに生じる電圧変動を抑えるため、各昇圧ステップで所定回数の電源電圧チェックを行っている。ここで、昇圧時に発生する電圧変動をより小さくすることができれば、各昇圧ステップでの電源電圧チェックの回数を減らすことができ、ひいては、電源電圧の昇圧に要する全体の時間を短縮することができる。そこで、本実施形態では、昇圧時の電源電圧の変動を抑制するために、以下の制御を行う。
【００５３】
即ち、上記の電源電圧の昇圧中に、電源装置６からドライバＩＣ７１へ電圧供給を開始し、さらに、ドライバＩＣ７１から圧電アクチュエータ４２の活性部６１への電圧印加を行う。具体的には、図６に示すように、電源電圧を電圧Ｖｔ２に昇圧する、第２ステップに移行したときに（時間Ｔ１）に、制御装置７は、電源装置６の電圧生成回路２２を制御して、ドライバＩＣ７１へ、圧電アクチュエータ４２を駆動するための電源電圧の供給を開始させる。また、ドライバＩＣ７１への電圧供給が開始されると同時に、制御装置７は、ドライバＩＣ７１を制御して、ドライバＩＣ７１から圧電アクチュエータ４２の１つの活性部６１に対して電圧を印加させる。図６（ｃ）に示すように、ドライバＩＣ７１は、１つの活性部６１への電圧印加開始後、電源電圧の昇圧完了（時間Ｔ４）まで、電源装置６から供給された電圧を活性部６１へ印加し続ける。尚、ドライバＩＣ７１において、活性部６１への印加電圧を変化させるということは行っていないが、活性部６１の印加電圧は、供給される電源電圧の昇圧に応じて段階的に上昇する。
【００５４】
このように、電源電圧の昇圧中に、電源電圧に電圧変動が生じたときに、その変動が生じている電圧を圧電アクチュエータ４２の活性部６１へ連続的に印加し続けることで、ドライバＩＣ７１から活性部６１までに存在する抵抗成分の作用によって、電源電圧の変動が減衰される。
【００５５】
上記の電源電圧の減衰作用について、さらに詳細に説明する。図７は、圧電アクチュエータ４２の１つの活性部６１と、この活性部６１を駆動するドライバＩＣ７１の等価回路を示す図である。まず、強誘電体である圧電材料で形成された、圧電アクチュエータ４２の活性部６１は、この活性部６１を挟む個別電極６２と共通電極６６間に電位差が生じたときには電荷を蓄え（充電）、電位差が解消したときに蓄えた電荷を放出する（放電）。つまり、図７に示すように、活性部６１は、ある静電容量を有するコンデンサＣとみなすことができる。
【００５６】
図７に示すように、ドライバＩＣ７１は、トランジスタで構成された一種のスイッチング回路である。ドライバＩＣ７１は、制御装置７からＣＯＦ７０の入力配線７２ｃによって伝送された制御信号に基づいて、図７に示される２つのスイッチＳＷ１，ＳＷ２のＯＮ／ＯＦＦを切り換える。これにより、圧電アクチュエータ４２の活性部６１に対して印加する電圧（図７におけるＡ点の電圧）が、電源電圧（ＶＤＤ）とグランド（ＧＮＤ）との間で切り換えられる。
【００５７】
ここで、電源装置６からドライバＩＣ７１を経て活性部６１に至るまでの経路には、様々な抵抗成分が存在する。例えば、ドライバＩＣ７１内には、スイッチＳＷ１を構成するトランジスタの抵抗や、駆動信号を出力する出力部の抵抗Ｒなどが存在する。また、ドライバＩＣ７１から個別電極６２までの間には、ＣＯＦ７０の出力配線７２ｄや圧電アクチュエータ４２上の接続端子６２ａ等の配線抵抗が存在する。ここで、一般に、１つの回路内における抵抗成分が大きいと、その回路に印加される電圧が変化したときに、その電圧の波形の立ち上がり、立ち下がり時間が長くなり、単位時間当たりの電圧の変化が少なくなる。そのため、本実施形態において、電源電圧に電圧変動が生じている状態で、その電源電圧がドライバＩＣ７１を経由して、活性部６１に印加されたときには、上記の抵抗成分が電圧変動を減衰させる方向に作用するため、電源電圧の電圧変動が小さくなる。つまり、電源電圧の昇圧中に、ドライバＩＣ７１から活性部６１へ、電圧を連続的に印加し続けることで、電源電圧の変動を抑制することができる。
【００５８】
尚、本実施形態では、電源電圧の昇圧中に電圧を印加する対象が、活性部６１（圧電素子）である。先にも述べたように、活性部６１は、印加される電圧の変動に伴って充電、放電を繰り返すことから、一種の容量成分を有する。そのため、ドライバＩＣ７１から活性部６１に電圧が印加されたときに、活性部６１の容量成分Ｃにより、電源電圧に生じた電圧変動のうちの高い周波数成分を除去することができる。
【００５９】
上記のように、電源電圧の昇圧中に活性部６１に電圧を印加し続けることで、電源電圧の電圧変動を抑制することができれば、各昇圧ステップにおける電源電圧チェック回数を減らすことが可能となる。例えば、図６（ａ）に示すように、１段目、２段目、３段目の昇圧ステップの電源電圧チェック回数（ｎ１，ｎ２，ｎ３）をそれぞれ少なく設定する。一方、電源電圧を最終の目標電圧Ｖ１に昇圧するときの、最終４段目の昇圧ステップでは、電源電圧が目標電圧Ｖ１で安定することが重要であるため、このときの電源電圧チェックは、ある程度の回数行うことが好ましい。そこで、制御目標値が目標電圧Ｖ１よりも低い、途中の１〜３段目の昇圧ステップについてはチェック回数を少なくし、制御目標値が目標電圧Ｖ１となる最終の昇圧ステップでは、１〜３段目の昇圧ステップよりも回数を多くする。
【００６０】
また、各昇圧ステップの電源電圧チェック回数を減らす代わりに、各昇圧ステップでの昇圧幅を大きくして昇圧ステップの数を少なくしてもよい。
【００６１】
このように、電源電圧の昇圧中における電源電圧の電圧変動を抑制することで、各昇圧ステップの電圧チェック回数を減らしたり、あるいは、昇圧ステップの数を減らしたりすることができる。従って、電源を投入してから電源電圧が目標電圧で安定するまでの時間（図６の時間Ｔ４）を短縮することができる。ひいては、プリンタ１が使用可能な状態となるまでの時間を短くすることができる。
【００６２】
尚、一般的なＩＣには、そのＩＣが正常に動作するために最低限必要とされる電圧（保証電圧）というものが存在する。そのため、本実施形態において、電源電圧の昇圧中に、ドライバＩＣ７１への電源電圧の供給を開始したときに、電源電圧が、ドライバＩＣ７１の保証電圧未満の場合では、ドライバＩＣ７１が正常に動作しない虞がある。例えば、トランジスタで構成されたスイッチＳＷ１，ＳＷ２のＯＮ／ＯＦＦ切り換えが正常に行われない場合などが考えられる。
【００６３】
この観点からは、電源スイッチ２０がＯＮになって、電源電圧の昇圧が開始された直後に、ドライバＩＣ７１への電圧供給を行うことはあまり好ましくない。そこで、本実施形態では、電源電圧の昇圧中に、電源電圧が目標電圧Ｖ１よりも低い、ドライバＩＣ７１の保証電圧Ｖ２（本発明の第２電圧）以上になったときに、ドライバＩＣ７１への電圧供給を開始させる。具体的には、図６に示すように、２段目の昇圧ステップの制御目標値Ｖｔ２が、ドライバＩＣ７１の保証電圧Ｖ２よりも高い場合であれば、２段目の昇圧ステップに移行したときに（時間Ｔ１）、制御装置７は、電源装置６からドライバＩＣ７１への電圧供給を開始させる。
【００６４】
ドライバＩＣ７１から複数の活性部６１に対して同時に電圧を印加した場合、電源電圧の電圧変動減衰に寄与する抵抗は、ドライバＩＣ７１から、このドライバＩＣ７１と並列に接続されている複数の活性部６１までの抵抗成分の合成値となる。ドライバＩＣ７１に対して複数の活性部６１は並列に接続されていることから、同時に電圧を印加する活性部６１の数が多いほど、電圧変動減衰に寄与する抵抗の値が小さくなり、電圧減衰効果が低くなる。そこで、電源電圧の昇圧中には、制御装置７のＡＳＩＣ３３は、ドライバＩＣ７１に、１つの活性部６１にのみ電圧を印加させることが好ましい。
【００６５】
また、ドライバＩＣ７１から活性部６１へ電圧を印加したときに、ドライバＩＣ７１から活性部６１までの配線抵抗が大きいほど、電圧の減衰効果は大きい。そこで、電源電圧の昇圧中に、制御装置７のＡＳＩＣ３３は、ドライバＩＣ７１に、このドライバＩＣ７１からの配線抵抗が最も大きい活性部６１にのみ、電圧を印加させることが好ましい。本実施形態では、図３に示すように、インクジェットヘッド４から、搬送方向下流側にＣＯＦ７０が引き出されている。そのため、複数の個別電極６２のうち、搬送方向上流側の端（図３の上側の端）に位置する個別電極６２が、ＣＯＦ７０に実装されているドライバＩＣ７１から最も遠く配置されている構成となっており、この端の個別電極６２までのドライバＩＣ７１からの配線抵抗が、他の個別電極６２と比べて高くなっている。そこで、電源電圧の昇圧中には、ドライバＩＣ７１は、このドライバＩＣ７１から最も遠くに位置する、搬送方向上流側の端の個別電極６２に対して、電圧を印加し続ける。
【００６６】
次に、前記実施形態に種々の変更を加えた変更形態について説明する。但し、前記実施形態と同様の構成を有するものについては、同じ符号を付して適宜その説明を省略する。
【００６７】
１］前記実施形態の図６（ｂ）、（ｃ）では、電源装置６からドライバＩＣ７１への電圧供給が開始されると同時に（時間Ｔ１）、ドライバＩＣ７１から活性部６１への電圧印加を行っているが、ドライバＩＣ７１への電圧供給開始後、一定時間経過してから活性部６１への電圧印加を行ってもよい。
【００６８】
２］前記実施形態では、電源装置６の電圧生成回路２２で生成された電圧Ｖ１の電源電圧が、そのまま、ドライバＩＣ７１に供給されているが、電圧Ｖ１の電源電圧を、降圧回路によってＶ１よりも低い電圧まで落としてから、ドライバＩＣ７１に供給してもよい。
【００６９】
３］前記実施形態では、ノズル４０からインクを吐出させる駆動素子の例として、活性部６１（圧電素子）を挙げているが、本発明における駆動素子は、圧電素子には限られない。例えば、発熱体によってインクを加熱して膜沸騰を生じさせ、そのときのエネルギーによってノズル４０からインクの液滴を吐出させる方式の、上記発熱体にも本発明を適用できる。発熱体の抵抗はかなり大きいため、電圧変動の減衰効果が高くなる。
【００７０】
４］前記実施形態では、電源装置６の電圧生成回路２２が、電源電圧をドライバＩＣ７１に供給するためのスイッチ部の機能を兼ね備えている。これに対して、電源装置６とは別に、電源装置６とドライバＩＣ７１との間、あるいは、ドライバＩＣ７１内に、スイッチ部が設けられていてもよい。
【００７１】
以上説明した実施形態及びその変更形態は、本発明を、記録用紙にインクを吐出して画像等を印刷するインクジェットヘッドに適用したものであるが、画像等の印刷以外の様々な用途で使用される液体吐出装置においても本発明は適用されうる。例えば、基板に導電性の液体を吐出して、基板表面に導電パターンを形成する液体吐出装置にも、本発明を適用することは可能である。
【符号の説明】
【００７２】
１  インクジェットプリンタ
４  インクジェットヘッド
６  電源装置
７  制御装置
４０  ノズル
４２  圧電アクチュエータ
６１  活性部
７０  ＣＯＦ
７１  ドライバＩＣ
７２  配線
【図１】
2018165059.tif 000003
【図２】
2018165059.tif 000004
【図３】
2018165059.tif 000005
【図４】
2018165059.tif 000006
【図５】
2018165059.tif 000007
【図６】
2018165059.tif 000008
【図７】
2018165059.tif 000009
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
被吐出媒体を搬送する搬送機構と、
複数のノズルと、前記複数のノズルからそれぞれ液体を吐出させる複数の駆動素子とを有し、前記搬送機構により搬送される被吐出媒体に向けて液体を吐出する液体吐出ヘッドと、
前記複数の駆動素子に印加する電圧を生成する電源装置と、
制御部と、を備え、
前記制御部は、
前記電源装置の立ち上げ時に
前記電源装置の電源電圧をチェックしつつ、電源電圧を所定の第１電圧まで昇圧させ、
さらに、前記電源電圧の前記第１電圧への昇圧中に、前記駆動素子に対して前記電源装置から電圧の印加を開始させて前記駆動素子に電圧を連続的に印加し続けることを特徴とする液体吐出装置。
【請求項２】
前記制御部は、
前記電源電圧を、個々に制御目標値が設定された複数の昇圧ステップを経て、前記第１電圧まで段階的に昇圧させ、
さらに、前記各昇圧ステップにおいて、前記電源電圧をその昇圧ステップにおける前記制御目標値に到達させるための電源電圧チェックを、予め定められた回数行うように構成され、
前記電源電圧チェックは、
前記制御目標値が前記第１電圧よりも低い、途中の昇圧ステップにおいて行われる回数が、前記制御目標値が前記第１電圧である、最終の昇圧ステップにおいて行われる回数よりも少ないことを特徴とする請求項１に記載の液体吐出装置。
【請求項３】
前記駆動素子が、圧電素子であることを特徴とする請求項１又は２に記載の液体吐出装置。
【請求項４】
前記制御部は、前記電源電圧の前記第１電圧への昇圧中に、前記駆動素子に対して前記電源装置から電圧の印加を開始させるときには、前記複数の駆動素子のうちの、何れか１つの駆動素子にのみ電圧を印加させることを特徴とする請求項１〜３の何れかに記載の液体吐出装置。
【請求項５】
前記電源装置から電圧供給されるように前記電源装置と接続し、さらに、前記複数の駆動素子に電圧を印加することにより、前記複数の駆動素子を駆動する駆動装置と、
前記電源装置から前記駆動装置への電圧供給を行うためのスイッチ部と、を更に備え、
前記制御部は、前記電源電圧の昇圧中に、前記電源電圧が、前記第１電圧よりも低い所定の第２電圧以上になったときに、前記スイッチ部に、前記電源装置から前記駆動装置への電圧供給を開始させることを特徴とする請求項１〜４の何れかに記載の液体吐出装置。
【請求項６】
前記駆動装置と前記複数の駆動素子は、複数の配線によってそれぞれ接続され、
前記制御部は、前記複数の駆動素子のうち、前記配線の抵抗が最も大きくなる前記駆動素子に電圧を印加することを特徴とする請求項５に記載の液体吐出装置。